(57)【要約】      （修正有）【課題】ニードル農法において、植物生体を活性化するための電気的刺激に代わる新たな刺激を植物生体に付与でき、植物生体に取付ける手間がかからないニードル農法用磁石内蔵螺子釘を提供する。【解決手段】ニードル農法用磁石内蔵螺子釘１であり、六角タッピング螺子の形状を呈する。螺子釘１の螺子頭３の中央部には、永久磁石２ａが設けられている。永久磁石２ａは、円柱状の形状であり、螺子釘１に設けられた穴の形状に合わせて、螺子頭端面３ａの位置から螺子先６の方向に向けて埋め込まれ、接着された状態となっている。螺子釘１は、螺子頭３から螺子先６までの長さが２〜１０ｃｍであり、内蔵する永久磁石２ａの芯の長さが、螺子頭３から螺子先６までの長さに対して０．０５〜０．９倍である。【選択図】図１
0003200384.tif 000002
【実用新案登録請求の範囲】
【請求項１】
カスバリー帯を備える植物生体の表皮側より通電体を挿し込み、挿し込みした部位の通電体の表皮側電位が所定閾値の変化率より増加する部位を選抜して植物生体の経穴とし、該経穴に対して通電体を挿し込んで植物生体内部の高電位部と表皮側の低電位部の間を通電体で直結させ、植物生体の成長増大を図るニードル農法に用いる螺子釘において、
前記螺子釘に永久磁石が埋め込まれたことを特徴とするニードル農法用磁石内蔵螺子釘。
【請求項２】
前記螺子釘は、螺子頭から螺子先までの長さが２〜１０ｃｍであり、内蔵する前記永久磁石の芯の長さが、螺子頭から螺子先までの長さに対して０．０５〜０．９倍であることを特徴とする請求項１に記載のニードル農法用磁石内蔵螺子釘。
【請求項３】
前記螺子釘の螺子頭にのみ、前記永久磁石が内蔵されたことを特徴とする請求項１又は２に記載のニードル農法用磁石内蔵螺子釘。
【請求項４】
前記螺子釘の螺子山が形成されていない部位に、前記永久磁石が内蔵されたことを特徴とする請求項１又は２に記載のニードル農法用磁石内蔵螺子釘。
【請求項５】
前記永久磁石の形状は、円柱状、円錐状、多角柱状、或は、多角錐状であることを特徴とする請求項１〜４の何れかに記載のニードル農法用磁石内蔵螺子釘。
【考案の詳細な説明】
【技術分野】
【０００１】
本考案は、ニードル農法に用いる螺子釘に関する。
【背景技術】
【０００２】
樹木などカスバリー帯を備える植物生体を活性化させる方法として、植物の幹や茎のツボに、通電体を挿し込み、挿し込みした部位の通電体の表皮側電位が所定閾値の変化率より増加する部位を選抜して植物生体の経穴とし、この経穴に対して通電体を挿し込み、植物生体内部の高電位部と表皮側の低電位部の間を通電体で直結させ、植物生体の表皮サイドの電位を増大させるといったニードル農法という技術が知られている（特許文献１）。
ニードル農法は、松枯れやナラ枯れの回復、果実の糖度向上といった効果をもたらし、さらには、植物の免疫力が高まることによる害虫に対する忌避効果もあると言われており、植物生体のツボ（経穴）に対して通電体を挿し込み、植物生体の活性化を図ることができる農法である。
このニードル農法において使用される通電体は、通電性ネジや通電性釘が用いられており、複数の通電体間に１．５〜１００Ｖの電圧を印加させて電気的な刺激を植物生体に与えて植物生体を活性化させている。
【０００３】
ニードル農法を実施するに際し、通電体を挿し込む経穴の位置を見出す方法として、デジタル式テスターを片手で持ち、先端部の陽極を植物生体の表皮部に挿し込み、もう片方の手の平を生体の表皮部に接触した状態で通電することで高電位部を探索するといった植物生体の経穴（ツボ）位置の測定方法が知られている（特許文献２）。
【０００４】
一方で、従来から、針灸治療において、人体に針を刺し、刺した針を回転させたりして外部から針を介して人体に物理的な刺激を与えたり、刺した針の一部に灸を行って針を介して人体のツボに熱を伝えたりして、肩こりや腰痛の症状の改善などを行っている。また、磁力によって血行を良くするため、皮膚表面に磁石を貼り付ける磁気サポータなどが知られている（例えば、特許文献３を参照。）。
【先行技術文献】
【特許文献】
【０００５】
【特許文献１】特許第５１３１８７６号公報
【特許文献２】特許第４８２０４３６号公報
【特許文献３】特開２００１−０７０４６０号公報
【考案の概要】
【考案が解決しようとする課題】
【０００６】
上述の如く、現在知られているニードル農法では、通電性ネジや通電性釘に電圧を印加させて、植物生体に電気的刺激を与えて植物生体を活性化させている。しかし、通電性ネジや通電性釘に電圧を印加させようとした場合、乾電池や太陽光パネルから電力供給を行う必要があり、多くの通電性ネジ等を用いる場合には、個々のネジに乾電池や太陽光パネルを取付ける手間が大変であった。
そのため、電気的刺激に代わる（或は、電気的刺激と併用できる）新たな刺激であって、植物生体に取付ける手間がかからない道具が求められている。
【０００７】
上記状況に鑑みて、本考案は、ニードル農法において、植物生体を活性化するための電気的刺激に代わる新たな刺激を植物生体に付与でき、植物生体に取付ける手間がかからない道具を提供することを目的とする。
【課題を解決するための手段】
【０００８】
本考案者は、磁力によって人体の血行が良くなるということに着目し、ニードル農法において、植物生体も人体と同様に、磁力によって樹液などの流れが改善され、植物生体を活性化できることの知見を得た。
【０００９】
すなわち、上記目的を達成すべく、本考案のニードル農法用磁石内蔵螺子釘は、カスバリー帯を備える植物生体の表皮側より通電体を挿し込み、挿し込みした部位の通電体の表皮側電位が所定閾値の変化率より増加する部位を選抜して植物生体の経穴とし、該経穴に対して通電体を挿し込んで植物生体内部の高電位部と表皮側の低電位部の間を通電体で直結させ、植物生体の成長増大を図るニードル農法に用いる螺子釘において、螺子釘に永久磁石が埋め込まれたことを特徴とする。
【００１０】
永久磁石が人体の血流を改善する効果については従来から知られているが、これと同様に、植物生体（例えば、樹木）においても、樹木内部を流れる樹液に永久磁石の磁力が作用し、樹液の流れが良くなり、それに伴って植物生体の成長が促進されるのである。ニードル農法における経穴の部位に対して、この磁石内蔵螺子釘を挿し込むことで、従来のように電気的刺激を与えずとも、磁力による磁気的刺激より植物生体の活性効果を高めることができる。
【００１１】
本考案のニードル農法用磁石内蔵螺子釘は、螺子頭から螺子先までの長さが２〜１０ｃｍであり、内蔵する永久磁石の芯の長さが、螺子頭から螺子先までの長さに対して０．０５〜０．９倍であることが好ましい。
ニードル農法は、幅広い植物について施術可能であるが、松枯れやナラ枯れの回復のため、特に樹木に用いられる場面が多い。従って、施術対象となる樹木の大きさに応じて、挿し込む螺子釘の長さを変える必要がある。その際、樹木に応じて、表皮側だけに磁気的刺激を付与する場合と、表皮から樹木内部深くに磁気的刺激を付与する場合がある。表皮側だけに磁気的刺激を付与する場合は、螺子頭付近にのみ磁石を設ければよいが、表皮から樹木内部深くに磁気的刺激を付与する場合は、螺子頭から螺子先にかけて磁石を設ける必要がある。
【００１２】
もちろん、螺子釘の強度も必要であり、永久磁石を内蔵できる部位は限られている。例えば、螺子山が設けられる部分や螺子先部分は、径が小さくなるため、永久磁石を内蔵することは困難であろう。
また、螺子釘の長さが長いものは、一般に径が大きくなり、永久磁石を内蔵するスペースを比較的確保しやすいが、螺子釘の長さが短いものは、一般に径が小さくなり、永久磁石を内蔵するスペースは比較的確保し難い。
【００１３】
上記のことを鑑みて、ニードル農法用磁石内蔵螺子釘は、螺子頭から螺子先までの長さが２〜１０ｃｍ、内蔵する永久磁石の芯の長さが、螺子頭から螺子先までの長さに対して０．０５〜０．９倍であることが好ましい。なお、より好ましくは、螺子頭から螺子先までの長さに対して０．０５〜０．３倍にする。螺子釘の本来の強度を確保できるからである。
【００１４】
本考案のニードル農法用磁石内蔵螺子釘は、六角タッピング螺子であることが好ましいが、他の形状の螺子でも構わない。螺子頭が六角形であることが好ましいのは、通常用いられている形状だからであり、また、タッピング螺子であることが好ましいのは、本考案の螺子釘は、直接、植物に挿し込むものであり、雌螺子が存在しないからである。
【００１５】
本考案のニードル農法用磁石内蔵螺子釘は、螺子頭にのみ永久磁石が内蔵されていることが好ましい。螺子頭にのみ永久磁石が内蔵されている形状とすることにより、低コストで製造することが可能である。或は、本考案の螺子釘は、螺子釘の螺子山が形成されていない部位に永久磁石が内蔵されていることが好ましい。
【００１６】
本考案のニードル農法用磁石内蔵螺子釘は、前記永久磁石の形状は、円柱状であることが好ましいが、円錐状、多角柱状、或は、多角錐状であっても良い。いずれの形状を選択するかは、成型、加工の便宜や、施術対象となる植物の種類、性質、大きさ等に合わせて決定される。
【考案の効果】
【００１７】
本考案のニードル農法用磁石内蔵螺子釘によれば、ニードル農法において、植物生体を活性化するための磁気的刺激を植物生体に付与できるといった効果を有する。また、螺子釘自体に磁石が内蔵されているため、螺子釘以外に別の器具を取付ける必要がなく手間がかからないといった効果もある。
【図面の簡単な説明】
【００１８】
【図１】実施例１のニードル農法用磁石内蔵螺子釘の斜視図
【図２】実施例１のニードル農法用磁石内蔵螺子釘の左側面図
【図３】実施例１のニードル農法用磁石内蔵螺子釘の断面図
【図４】実施例２のニードル農法用磁石内蔵螺子釘の断面図
【図５】実施例３のニードル農法用磁石内蔵螺子釘の断面図
【図６】テスターの正面図
【図７】実施例１における経穴位置測定方法の説明図
【図８】実施例１のニードル農法用磁石内蔵螺子釘の使用図
【考案を実施するための最良の形態】
【００１９】
以下、本考案の実施形態について、図面を参照しながら詳細に説明していく。なお、本考案の範囲は、以下の実施例や図示例に限定されるものではなく、幾多の変更及び変形が可能である。
【００２０】
まず、ニードル農法について説明する。ニードル農法の具体的な手順としては、以下の通りである。
（１）まず、植物の電位を計測し、電位の高い箇所を見つける。通常の電位は１００〜３００ｍＶであり、電位の高い箇所とは、３００〜５００ｍＶの箇所を指す。
（２）次に、電位数値の高い箇所に、針又は螺子を挿し込む。そうすると、電位が、約５００〜１０００ｍＶという数値に上昇する。
【００２１】
このように施術した植物の電位が上昇し活性化することで、樹が水を吸い上げる時間が、例えば樹齢約５０年の杉木の場合、水が１ｍ上昇するのに要した時間が、施術前は約１時間であったものが、施術後は約５〜１０分という時間になり、大幅に短縮されるようになるのである。
【００２２】
ニードル農法を実践するために、螺子釘を挿し込む位置を見つけ出す方法について説明する。上述した特許文献２に開示されているデジタル式テスターを片手で持ち、先端部の陽極を植物生体の表皮部に挿し込み、もう片方の手の平を生体の表皮部に接触した状態で、通電することで高電位部を探索する。
【実施例１】
【００２３】
図１は、実施例１のニードル農法用磁石内蔵螺子釘の斜視図を示している。図１に示されるように、螺子釘１は、ニードル農法用磁石内蔵螺子釘であり、六角タッピング螺子の形状を呈している。
【００２４】
図２は、実施例１の螺子釘の左側面図を示している。図２に示されるように、螺子釘１の螺子頭３の中央部には、永久磁石２ａが設けられている。永久磁石２ａは、円柱状の形状であり、螺子釘１に設けられた穴の形状に合わせて、螺子頭端面３ａの位置から螺子先５の方向に向けて埋め込まれ、接着された状態となっている。
【００２５】
図３は、実施例１の螺子釘の断面図を示している。図３に示されるように、永久磁石２ａは、螺子釘１に設けられた穴に、螺子頭端面３ａの位置から螺子先５の方向に向けて埋め込まれているが、永久磁石２ａの長さは螺子頭３の長さの範囲内である。このように、永久磁石２ａが螺子部５の位置まで埋め込まれていないのは、施術対象となる植物が、磁力の強い磁石が適さない場合であり、或は、小さくても磁力の強い永久磁石を用いているからである。
また、螺子釘１の製造時に、螺子釘１に設ける穴を浅くすることができるため、製造コストが安くなるという利点もある。
【００２６】
図６は、テスターの正面図を示している。図６に示されるように、テスター７の本体７ａには、把持部７ｂ、端子７ｃ、スイッチ（７ｄ，７ｅ）、表示部７ｆ、が設けられている。片方の手で把持部７ｂを把持し、端子７ｃを樹木に突き刺し、スイッチ（７ｄ，７ｅ）を操作して、電位を計測する。
【００２７】
図７を参照して、実施例１における経穴の位置測定方法を説明する。テスター７は、例えば図７に示すように、樹木８の表皮側から直接に、樹木に突き刺して、電位を測定し、電位の高い箇所を見つける。電位が１〜２４時間中に２〜４倍に増加する場所は経穴である。例えば、樹木の場合、通常の電位は１００〜３００ｍＶであるのに対して、３００〜５００ｍＶの高い電位の箇所は経穴と言える。
【００２８】
図８は、実施例１の螺子釘の使用図を示している。テスター７を使った経穴の位置測定において、適当な挿し込み箇所が判明すると、経穴の位置に螺子釘（１ａ，１ｂ，１ｃ，１ｄ，１ｅ）を挿し込む。
【実施例２】
【００２９】
図４は、実施例２の螺子釘の断面図を示している。図４に示されるように、永久磁石２ｂは、螺子頭端面３ａの位置から螺子先５の方向に向けて埋め込まれているが、永久磁石２ｂの長さは螺子頭３の長さと円筒部の長さを合わせた範囲内のものとなっている。
このように、永久磁石２ｂが螺子部５の位置まで埋め込まれていないのは、施術対象となる植物に必要とされる磁力に応じた磁石を埋め込み、かつ製造コストとのバランスを図るためである。
【実施例３】
【００３０】
図５は、実施例３の螺子釘の断面図を示している。図５に示されるように、永久磁石２ｃは、螺子頭端面３ａの位置から螺子先５の方向に向けて埋め込まれているが、永久磁石２ｃの長さは螺子頭端面３ａから螺子先６付近まで及ぶものとなっている。
このように、永久磁石２ｃが螺子先６付近まで埋め込まれているのは、施術対象となる植物が非常に強い磁力を必要とする場合に対応するためである。
【産業上の利用可能性】
【００３１】
本考案は、ニードル農法に用いられる螺子釘として有用である。
【符号の説明】
【００３２】
１  螺子釘
２ａ，２ｂ，２ｃ  永久磁石
３  螺子頭
３ｂ  螺子頭端面
４  円筒部
５  螺子部
６  螺子先
７  テスター
７ａ  本体
７ｂ  把持部
７ｃ  端子
７ｄ，７ｅ  スイッチ
７ｆ  表示部
８  樹木
【図１】
0003200384.tif 000003
【図２】
0003200384.tif 000004
【図３】
0003200384.tif 000005
【図４】
0003200384.tif 000006
【図５】
0003200384.tif 000007
【図６】
0003200384.tif 000008
【図７】
0003200384.tif 000009
【図８】
0003200384.tif 000010